(57)【要約】【課題】配信元及び配信先の負担を軽減し、文書変換を効率よく行うことが可能な情報処理装置及びプログラムを提供する。【解決手段】配信先毎に、配信する記事種別に応じた体裁及び文書フォーマットに関する配信制御第１テーブル１０Ｅ１および配信制御第２テーブル１０Ｅ２を設けて、各配信先に開放し、自動変換・配信先指定部１０Ｆで記事の変換及び配信先を指定し、記事情報送信部１０Ｃで各配信先に記事を送信する。【選択図】  図１
2011118748.tif 000002
【特許請求の範囲】
【請求項１】
情報配信装置からネットワーク接続される複数の情報受信装置に記事情報を配信する情報配信システムであって、
前記情報配信装置は、各配信情報に対し少なくとも記事種別、体裁、文書フォーマット、配信スケジュールからなる配信制御情報が設定された配信制御テーブルを備え、この配信制御テーブルに従って配信情報の体裁を整えると共に設定の文書フォーマットに変換して配信先の前記情報受信装置に送信し、
前記情報受信装置は、受信した前記配信情報をそのまま又は所定の変換処理を行って所定のメディアへ出力し、
前記情報受信装置は、配信先専用ＩＤを用いて、ネットワーク接続される前記情報配信装置へログオンし、前記配信制御情報を設定又は変更する設定入力手段を備え、
前記情報配信装置は、前記設定入力手段からの入力に基づき前記配信制御テーブルの前記配信制御情報を設定又は変更することを特徴とする情報配信システム。
【請求項２】
前記情報配信装置は、一又は複数の記事情報を解析し、各記事種別を判別する判別手段を備え、
前記判別手段によって判別された記事種別と、前記配信制御テーブルに設定された前記配信制御情報の記事種別とを照合し、一致した場合に配信情報の体裁を整えると共に文書フォーマットを変換することを特徴とする請求項１に記載の情報配信システム。
【請求項３】
前記情報配信装置は、前記情報受信装置に記事情報を配信する配信情報の課金額を算出する課金算出手段を備えることを特徴とする請求項１又は２に記載の情報配信システム。
【請求項４】
ネットワークに接続される複数の情報受信装置に対し記事情報を配信する情報配信装置であって、
各配信情報に対し少なくとも記事種別、体裁、文書フォーマット、配信スケジュールからなる配信制御情報が設定された配信制御テーブルを備え、この配信制御テーブルに従って配信情報の体裁を整えると共に設定の文書フォーマットに変換して配信先の前記情報受信装置に送信し、
前記情報受信装置から配信先専用IDを用いて、ネットワーク接続される前記情報配信装置へログオンし、前記配信制御テーブルの前記配信制御情報の設定又は変更が入力された場合、前記配信制御テーブルの前記配信制御情報にその設定又は変更内容を反映することを特徴とする情報配信装置。
【請求項５】
ネットワークに接続される複数の情報受信装置に対し記事情報を配信する情報配信装置の情報配信プログラムであって、
配信制御テーブルに各配信情報に対し少なくとも記事種別、体裁、文書フォーマット、配信スケジュールからなる配信制御情報を設定又は変更する機能と、
前記配信制御テーブルの内容に基づき配信情報の体裁を整えると共に設定の文書フォーマットに変換する機能と、
変換した前記配信情報を配信先の前記情報受信装置に配信する機能と、
を具備することを特徴とするプログラム。
【発明の詳細な説明】
【技術分野】
【０００１】
本発明は、配信先毎に希望する文書フォーマットに変換した記事情報を配信する情報配信システム、情報配信装置及び情報配信プログラムに関する。
【背景技術】
【０００２】
近年、情報処理時代の発展と共に、新聞社等では記事を新聞紙面、Web、携帯サイトなど各種メディアに掲載又は配信する必要性が高まっている。また、各種メディアに記事を掲載又は配信するためには、例えば記事発信源となる通信社から配信される記事情報を各種メディアに適した体裁及び文書フォーマットに変換する必要がある。その場合、どのような体裁及び文書フォーマットに変換するかは、配信先となるクライアント（例えば、新聞社、放送局、企業等）の要求によって異なる。
【０００３】
このように、配信先毎に異なる要求を満たし、適した体裁及び文書フォーマットの記事情報に変換するものとして、第一に、通信社等の配信元に各種の変換装置を設置する方法がある。この方法によれば、配信元においてそれぞれの配信先の要求に応じた体裁及び文書フォーマットに変換した記事情報を作成して、それぞれの配信先に配信するものである。
【０００４】
また、第二に、それぞれの配信先自身が自社又は自局にあった文書フォーマット変換装置を設置する方法である。この方法によれば、配信元からは標準文書フォーマット（例えば、XMLフォーマット）で記事をそれぞれの配信先に配信し、その記事情報を受信したクライアント自身が、自社又は自局に合った体裁及び文書フォーマットに変換するものである（例えば、特許文献１参照。）。
【先行技術文献】
【特許文献】
【０００５】
【特許文献１】特開２００９−５９２４２号公報
【発明の概要】
【発明が解決しようとする課題】
【０００６】
しかしながら、上述した第一の方法では、配信元が配信先毎に体裁及び文書フォーマット変換を行うため、配信元の負担が大きいと言う問題がある。例えば、各配信先から配信元に一斉に変更要求が出された場合、その変更作業が配信先の要求通りに実施できない場合がある。
【０００７】
また、特許文献１のような第二の方法においても、受信した記事を毎回配信先で変換する必要があるため、配信先の負担が大きく、効率が悪いという問題がある。さらに変換装置を置くことのできない配信先は変換作業を人手で行う必要があった。
【０００８】
従って本発明は、上記問題点を解決するためになされたもので、配信元及び配信先の負担を軽減し、文書変換を効率よく行うことが可能な情報配信システム、情報配信装置及び情報配信プログラムを提供することを目的とする。
【課題を解決するための手段】
【０００９】
本発明に係る情報配信システムは、情報配信装置からネットワーク接続される複数の情報受信装置に記事情報を配信する情報配信システムであって、前記情報配信装置は、各配信情報に対し少なくとも記事種別、体裁、文書フォーマット、配信スケジュールからなる配信制御情報が設定された配信制御テーブルを備え、この配信制御テーブルに従って配信情報の体裁を整えると共に設定の文書フォーマットに変換して配信先の前記情報受信装置に送信し、前記情報受信装置は、受信した前記配信情報をそのまま又は所定の変換処理を行って所定のメディアへ出力し、前記情報受信装置は、配信先専用ＩＤを用いて、ネットワーク接続される前記情報配信装置へログオンし、前記配信制御情報を設定又は変更する設定入力手段を備え、前記情報配信装置は、前記設定入力手段からの入力に基づき前記配信制御テーブルの前記配信制御情報を設定又は変更することを特徴とする。
【００１０】
本発明に係る情報配信装置は、ネットワークに接続される複数の情報受信装置に対し記事情報を配信する情報配信装置であって、各配信情報に対し少なくとも記事種別、体裁、文書フォーマット、配信スケジュールからなる配信制御情報が設定された配信制御テーブルを備え、この配信制御テーブルに従って配信情報の体裁を整えると共に設定の文書フォーマットに変換して配信先の前記情報受信装置に送信し、前記情報受信装置から配信先専用ＩＤを用いて、ネットワーク接続される前記情報配信装置へログオンし、前記配信制御テーブルの前記配信制御情報の設定又は変更が入力された場合、前記配信制御テーブルの前記配信制御情報にその設定又は変更内容を反映することを特徴とする。
【００１１】
本発明に係る情報配信プログラムは、ネットワークに接続される複数の情報受信装置に対し記事情報を配信する情報配信装置の情報配信プログラムであって、配信制御テーブルに各配信情報に対し少なくとも記事種別、体裁、文書フォーマット、配信スケジュールからなる配信制御情報を設定又は変更する機能と、前記配信制御テーブルの内容に基づき配信情報の体裁を整えると共に設定の文書フォーマットに変換する機能と、変換した前記配信情報を配信先の前記情報受信装置に配信する機能と、を具備することを特徴とする。
【発明の効果】
【００１２】
本発明によれば、配信先毎に、配信する記事種別に応じた体裁及び文書フォーマットに関する制御テーブルを設けて、各配信先に開放することにより、配信先からの変更要求を素早く処理することができる。これにより、配信元及び配信先の負担を軽減し、記事情報の配信を効率よく行うことができる。
【図面の簡単な説明】
【００１３】
【図１】本発明の実施形態に係る情報配信システムの全体構成を示すブロック図。
【図２】上記実施形態に係る配信制御第１テーブル１０Ｅ１を示す図。
【図３】上記実施形態に係る配信制御第２テーブル１０Ｅ２を示す図。
【図４】上記実施形態に係る全体の処理手順を示すフローチャート。
【図５】上記実施形態に係る配信制御情報登録手順を示すフローチャート。
【図６】上記実施形態に係る日次処理手順を示すフローチャート。
【図７】上記実施形態に係る配信処理手順を示すフローチャート。
【図８】上記実施形態に係る配信制御テーブル１０Ｅの配信制御情報の変更設定画面を示す図。
【発明を実施するための形態】
【００１４】
以下、図面を参照して本発明の実施形態について説明する。
【００１５】
図１は、本実施形態の情報配信システムの全体構成を示すブロック図である。
【００１６】
図１に示す情報配信システム１００は、ネットワーク３０に接続される配信元である情報配信装置１０と、配信先であるクライアント毎の情報受信装置２０とで構成されている。ここでは、新聞社Ａの情報受信装置２０Ａ、新聞社Ｂの情報受信装置２０Ｂ、新聞社Ｃの情報受信装置２０Ｃ、放送局αの情報受信装置２０α、企業Ｎの情報受信装置２０Ｎ、を例示している。各情報受信装置２０Ａ，２０Ｂ，２０Ｃ，２０α，２０Ｎは、クライアント装置（コンピュータ）である。なお、情報受信装置２０は、情報受信装置２０Ａ，２０Ｂ，２０Ｃ，２０α，２０Ｎを総称するものである。
【００１７】
新聞社Ａの情報受信装置２０Ａは、配信元の情報配信装置１０から記事情報（全データ）を標準文書フォーマット（NewsML（登録商標））で受信する受信部２０Ａ１、記事情報を新聞記事に体裁を整えてテキストフォーマットに変換する第１変換部２０Ａ２、記事情報をＷｅｂに体裁を整えてHTMLフォーマットに変換する第２変換部２０Ａ３、記事情報を携帯サイトに体裁を整えてHTMLフォーマットに変換する第３変換部２０Ａ４を備えている。
【００１８】
つまり、新聞社Ａの情報受信装置２０Ａでは、複数の変換部２０Ａ２，２０Ａ３，２０Ａ４を設けて、自社独自の変換が行えるようになっている。第１変換部２０Ａ２、第２変換部２０Ａ３、第３変換部２０Ａ４は、ソフトウェア又はハードウェアの変換のいずれで構成しても良い。また、情報受信装置２０Ａには、配信元の情報配信装置１０の配信制御第１テーブル１０E１（詳細は後述する）をアクセスして、配信制御情報を設定又は変更するための設定入力部２０Ａ７が設けられている。なお、ここでは、１台のクライアント装置（コンピュータ）で構成される情報受信装置２０Ａを示しているが、複数台のクライアント装置で構成しても良い。
【００１９】
新聞社Ｂの情報受信装置２０Ｂは、配信元の情報配信装置１０から配信される記事情報の「詳細電文」をテキストフォーマットで受信する第１受信部２０Ｂ１、同じく情報配信装置１０から配信される記事情報の「表体裁」をHTMLフォーマットで受信する第２受信部２０Ｂ２、同じく情報配信装置１０から配信される記事情報の「簡易表体裁」をHTMLフォーマットで受信する第３受信部２０Ｂ３を備えている。また、情報受信装置２０Ｂには、情報配信装置１０の配信制御第１テーブル１０E１をアクセスするための設定入力部２０Ｂ７が設けられている。同様に、情報受信装置２０Ｂも複数台のクライアント端末で構成しても良い。また、第１受信部２０Ｂ１乃至第３受信部２０Ｂ３を１台の受信部で構成して、各文書フォーマットの記事情報が受信できるように切り替えて使用してもよい。
【００２０】
新聞社Ｃの情報受信装置２０Ｃは、配信元の情報配信装置１０から配信される記事情報の「簡易電文」をテキストフォーマットで受信する第１受信部２０Ｃ１、同じく情報配信装置１０から配信される記事情報の「Web用記事」をHTMLフォーマットで受信する第２受信部２０Ｃ２を備えている。また、情報受信装置２０Ｃには、情報配信装置１０の配信制御第１テーブル１０E１をアクセスするための設定入力部２０Ｃ７が設けられている。同様に、情報受信装置２０Ｃも複数台のクライアント装置で構成しても良い。また、第１受信部２０Ｃ１及び第２受信部２０Ｃ２を１台の受信部で構成して、各文書フォーマットの記事情報が受信できるように切り替えて使用してもよい。
【００２１】
放送局αの情報受信装置２０αは、配信元の情報配信装置１０から配信される記事情報の「表体裁」をBMLフォーマットで受信する第１受信部２０α１を備えている。また、情報受信装置２０αには、情報配信装置１０の配信制御第１テーブル１０E１をアクセスするための設定入力部２０α７が設けられている。
【００２２】
会社Ｎの情報受信装置２０Ｎは、配信元の情報配信装置１０から配信される記事情報の「一行電文」をテキストフォーマットで受信する第１受信部２０N１を備えている。また、情報受信装置２０Nには、情報配信装置１０の配信制御第１テーブル１０E１をアクセスするための設定入力部２０N７が設けられている。
【００２３】
各クライアント装置の設定入力部２０Ａ７，２０Ｂ７，２０Ｃ７，２０α７，２０Ｎ７は、配信元の情報配信装置１０の配信制御第１テーブル１０Ｅ１を、例えばＷｅｂを介してアクセスすることができる。そして、各々のクライアント装置からの要求に基づいて、情報配信装置１０の配信制御第１テーブル１０Ｅ１に記憶される配信制御情報を設定／変更／登録することができる。
【００２４】
配信元の情報配信装置１０は、大量の記事情報を記憶する記憶ファイル部１０Ａ、情報配信装置１０全体の制御を司る制御部１０Ｂ、各種の文書フォーマットに変換したそれぞれの記事情報を送信先クライアント毎の情報受信装置２０に送信する記事情報送信部１０Ｃ、各送信元からの配信制御情報を受信する受信部１０Ｄなどから構成されている。また、制御部１０Ｂには、配信制御情報を記憶する配信制御第１テーブル１０Ｅ１、配信制御第２テーブル１０Ｅ２、および配信制御第２テーブル１０Ｅ２に設定される配信制御情報に基づき、記事情報の体裁および文書フォーマットを自動変換する自動変換・配信先指定部１０Ｆが設けられている。
【００２５】
自動変換・配信先指定部１０Ｆは、配信制御第２テーブル１０Ｅ２に記憶される配信制御情報に基づいて所定の記事情報に対し体裁および文書フォーマットの変換処理を行なう。例えば、体裁が「表体裁」のＨＴＭＬフォーマットに変換、体裁が「詳細電文」のテキストフォーマットに変換するなど、多様な文書フォーマットパターンに変換することが可能である。
【００２６】
自動変換・配信先指定部１０Ｆによって変換された記事情報は、記事情報送信部１０Ｃから各クライアントである新聞社や放送局の情報受信装置２０に配信され、新聞紙面やＷｅｂ、各種メディアに掲載される。
【００２７】
図２は、配信制御第１テーブル１０Ｅ１を示す図である。ここでは、（ａ）に新聞社Ａの配信制御情報を示し、（ｂ）に新聞社Ｂの配信制御情報を示し、（ｃ）に新聞社Ｃの配信制御情報を示し、（ｄ）に放送局αの配信制御情報を示し、（ｅ）に企業Nの配信制御情報を示している。第１テーブルには、記事種別１１、変換体裁１２、文書フォーマット１３、配信スケジュール種別１４といった項目の内容が設定される。
【００２８】
記事種別１１は、記事情報の記事種別（タイトルに相当）を識別するためのものである。記事種別１１は、あらゆるニュース記事情報が対象となる。ここでは一例として、「世界の天気」、「プロ野球成績」などを例示している。また、例えば、「プロ野球成績」の記事情報でも、「リーグ戦成績」、「オープン戦成績」や「交流戦成績」などと識別することもできる。
【００２９】
変換体裁１２は、記事情報をどのような体裁で配信するかを指定するものである。変換体裁１２の一例として「全データ」、「詳細電文」、「標準電文」、「表体裁」、「簡易表体裁」、「要約電文」、「Web用」、「縦書き電文」等がある。
【００３０】
文書フォーマット１３は、各記事情報をどのような文書フォーマットに変換して送信先に送信するかを指定するものである。文書フォーマット１３の一例として、NewsML（登録商標）、テキスト、HTML、BMLなどがある。
【００３１】
配信スケジュール種別１４は、各記事情報の配信日を指定するものである。配信スケジュール種別１４では、毎日、曜日指定、日付指定等の設定が可能である。また、配信先が新聞社である場合には、新聞休刊日の前日以外に配信を希望するなど、特定日指定をすることも可能である。
【００３２】
図３は、図２の配信制御第１テーブル１０Ｅ１をもとに、情報配信装置１０の制御部１０Ｂによって作成される配信制御第２テーブル１０Ｅ２を示す図である。ここでは、記事種別ごとに配信制御情報が示されており、配信先１５、変換体裁１２、文書フォーマット１３、配信スケジュール１６といった項目がある。記事種別１１、変換体裁１２、文書フォーマット１３の設定内容は、配信制御第１テーブル１０Ｅ１と同一内容である。
【００３３】
配信先１５は、記事情報を送信する配信先名を識別するものである。ここでは、一例として新聞社Ａ、新聞社Ｂ、新聞社Ｃ、放送局α、企業Ｎなどを例示している。
【００３４】
配信スケジュール１６は、第１テーブルの配信スケジュール種別１４に基づいて、記事情報の各日付毎の配信要否を設定する。例えば、配信制御第１テーブル１０Ｅ１の配信スケジュール種別１４をもとに各日付毎に記事を配信する場合は○、配信しない場合は×を設定する。配信スケジュール１６は、当日から１〜３週間先の予定を設定したものが望ましいが、これに限定されない。また、配信スケジュールに、配信時刻もさらに限定して設定するものであってもよい。
【００３５】
配信元の情報配信装置１０の制御部１０Ｂは、配信制御第２テーブル１０Ｅ２に基づいて、各配信先に記事情報を配信する。
【００３６】
次に、本実施形態の情報配信システムの動作を説明する。
【００３７】
図４は、上記実施形態に係る情報配信システムの処理手順の全体構成を示すフローチャートである。
【００３８】
まず、配信先からの配信設定要求に基づいて、情報配信装置１０の配信制御第１テーブル１０Ｅ１に配信制御情報を登録する（ステップＳ２１）。配信制御情報の登録は、情報配信装置１０側に登録設定用の画面を予め用意して、各配信先の情報受信装置２０に設けられている設定入力部２０Ａ７、２０Ｂ７、２０Ｃ７、２０α７、２０Ｎ７からその登録設定用の画面をＷｅｂアクセスして設定する。または、情報配信装置１０側で設定するようにしても良い。
【００３９】
次に、情報配信装置１０の制御部１０Ｂは、配信制御第１テーブル１０Ｅ１から配信制御第２テーブル１０Ｅ２を作成する（ステップＳ３１）。つまり、図２に示す配信制御第１テーブル１０Ｅ１から図３に示す配信制御第２テーブル１０Ｅ２を作成する。尚、この日次処理（ステップＳ３１）については後で詳述する。
【００４０】
続いて、制御部１０Ｂの自動変換・配信先指定部１０Ｆは、配信制御第２テーブル１０Ｅ２に従い記事ファイル部１０Ａから配信記事情報を読み出し、設定された所定の体裁に整え、設定された文書フォーマットに変換して送信記事情報を作成する。こうして作成された送信記事情報が、記事情報送信部１０Ｃから設定された各配信先に配信される（ステップＳ４１）。図４は、基本的な動作手順を示すものであり、配信制御情報の登録後は、ステップＳ３１，Ｓ４１が実行されるだけである。
【００４１】
図５は、上記実施形態に係る配信制御情報の登録（図４のステップＳ２１）手順を示すフローチャートである。
【００４２】
配信先には、それぞれ本情報配信システムにアクセスするための配信先専用のＩＤが付与されており、例えば、設定入力部２０Ａ７からこの配信先専用ＩＤを入力して情報配信装置１０のシステムにログインする（ステップＳ２２）。すると、配信先の設定入力部２０Ａ７は、情報配信装置１０から提供される配信制御第１テーブル１０Ｅ１にアクセスすることができる（ステップＳ２３）。配信先の設定入力部２０Ａ７は、配信制御テーブル１０Ｅの第１テーブルの項目（記事種別、変換体裁、文書フォーマット、配信スケジュール種別の配信制御情報）を編集する（ステップＳ２４）。配信先の設定入力部２０Ａ７は、編集が終わった配信制御情報を情報配信装置１０の配信制御第１テーブル１０Ｅ１に登録する（ステップＳ２５）。その後、配信先がログアウトすると配信制御情報の登録が完了する（ステップＳ２６）。ここでは、設定入力部２０Ａ７からの設定入力としたが、他の設定入力部からも同じように設定できる。
【００４３】
図６は、上記実施形態に係る日次処理（図４のステップＳ３１）を示すフローチャートである。
【００４４】
日次処理は、予め定められた時刻に自動的に起動されるものであり、情報配信装置１０の制御部１０Ｂは、まず当日の日付（例えば、８月２０日）を設定日付として取得する（ステップＳ３２）。次に、制御部１０Ｂは、８月２０日に設定されている配信制御第１テーブル１０Ｅ１から配信制御情報を読み込む（ステップＳ３３）。制御部１０Ｂは、読み込んだ配信制御情報から設定日付における記事種別毎の配信要否を示す配信制御第２テーブル１０Ｅ２を作成する（ステップＳ３４）。制御部１０Ｂは、次に設定日付＋１した日付を新たな設定日付（例えば、８月２１日）とする（ステップＳ３５）。設定日付が、システムで予め設定した「ｎ」（ｎ：正の整数値）以上の場合には、処理を終了し、「ｎ」未満の場合には、ステップＳ３３〜Ｓ３５を繰り返し実行する。その結果、図３に示す８月２０日〜８月２６日の配信制御情報が作成される。
【００４５】
図７は、上記実施形態に係る配信処理（図４のステップＳ４１）を示すフローチャートである。
【００４６】
配信元の情報配信装置１０は、登録された記事情報を含む各種のニュース記事情報を取得すると（ステップＳ４２）、各記事情報を解析し、記事種別を判定する。そして、記事種別に応じて記事情報を記憶ファイル部１０Ａに蓄積する（ステップＳ４３）。
【００４７】
情報配信装置１０の制御部１０Ｂは、そこで得られた記事種別と同じ記事種別が配信制御第２テーブル１０Ｅ２のレコードに存在するかを検索する（ステップＳ４４）。配信制御第２テーブル１０Ｅ２のレコードに同じ記事種別がある場合は、制御部１０Ｂの自動変換・配信先指定部１０Ｆは、配信制御第２テーブル１０Ｅ２の配信制御情報を参照し、配信先に対応する体裁や文書フォーマットに記事情報を変換する（ステップＳ４５）。配信制御第２テーブル１０Ｅ２のレコードに同じ記事種別がなかった場合には、処理を終了する。
【００４８】
自動変換・配信先指定部１０Ｆは、変換した記事情報に記事種別や用途情報を更に付加し、記事情報送信部１０Ｃに渡す。記事情報送信部１０Ｃは、配信記事情報を第２テーブルに設定される各配信先に向けて配信する（ステップＳ４６）。配信終了後、自動変換・配信先指定部１０Ｆは、配信制御第２テーブル１０Ｅ２に他のレコードがあるかを検索し、あった場合にはステップＳ４５、Ｓ４６を繰り返し実行して、配信制御第２テーブル１０Ｅ２に登録される設定日付の全ての配信記事情報を各配信先に送信して終了する。
【００４９】
ここで、自動変換・配信先指定部１０Ｆによる配信処理について説明する。
【００５０】
例えば、図３の「世界の天気」を配信する場合について説明する。まず、新聞社Aに配信する場合、大量の記事情報を記憶する記憶ファイル部１０Ａから一つの記事を読み出す。制御部１０Ｂは、読み出した記事の記事情報を解析し、記事種別が「世界の天気」であると判断する。自動変換・配信先指定部１０Ｆは、配信制御第２テーブル１０Ｅ２から新聞社Ａへ「世界の天気」の全データを標準文書フォーマット（NewsML（登録商標））で配信すると判断する。そして、自動変換・配信先指定部１０Ｆは、その記事情報の全データを標準文書フォーマットに変換して記事情報送信部１０Ｃに渡す。記事情報送信部１０Ｃは、「世界の天気」の全データを標準文書フォーマットに変換された配信記事情報を新聞社Ａの情報受信装置２０Ａに向けて送信する。
【００５１】
新聞社Ａの情報受信装置２０Ａでは、受信部２０Ａ１が標準文書フォーマットの記事情報を受信する。受信した記事のうち、新聞紙面に掲載する記事とするため、第１変換部２０Ａ２では詳細電文に編集すると共にテキストフォーマットに変換して出力する。また、第２変換部２０Ａ３では、Webに掲載する記事とするため表体裁に編集すると共にHTMLフォーマットに変換して出力する。また、第３変換部２０Ａ４では、携帯サイトに掲載する記事とするため簡易表体裁に編集すると共にHTMLフォーマットに変換して出力する。
【００５２】
次に、新聞社Bに「世界の天気」を配信する場合、大量の記事情報を記憶する記憶ファイル部１０Ａから一の記事を読み出す。読み出された記事は記事情報を解析され、記事種別が「世界の天気」であると判断される。自動変換・配信先指定部１０Ｆは、新聞社Ｂへ「世界の天気」の標準電文をテキストフォーマットで配信、同じく「世界の天気」の表体裁をHTMLフォーマットで配信すると判断し、同じく「世界の天気」の簡易表体裁をHTMLフォーマットで配信すると判断する。そして、自動変換・配信先指定部１０Ｆは、取得した「世界の天気」を標準電文に編集すると共にテキストフォーマットに変換して記事情報送信部１０Ｃに渡す。また、「世界の天気」を表体裁に編集すると共にHTMLフォーマットに変換して記事情報送信部１０Ｃに渡す。また、「世界の天気」を簡易表体裁に編集すると共にHTMLフォーマットに変換して記事情報送信部１０Ｃに渡す。記事情報送信部１０Ｃは、テキストフォーマットの標準電文を新聞社Ｂの第１受信部２０Ｂ１に向けて送信し、HTMLフォーマットの表体裁を第２受信部２０Ｂ２に向けて送信し、HTMLフォーマットの簡易表体裁を第３受信部２０Ｂ３に向けて送信する。新聞社Ｂの情報受信装置２０Ｂでは、それぞれの受信部２０Ｂ１，２０Ｂ２，２０Ｂ３で受信した記事情報を新聞、Web、携帯サイトのメディアに向けて出力する。
【００５３】
次に、新聞社Cに「世界の天気」を配信する場合、大量の記事情報を記憶する記憶ファイル部１０Ａから一の記事を読み出す。読み出された記事は記事情報を解析され、記事種別が「世界の天気」であると判断される。自動変換・配信先指定部１０Ｆは、新聞社Ｃへ「世界の天気」の標準電文をテキストフォーマットで配信すると判断し、同じく「世界の天気」の表体裁をHTMLフォーマットで配信すると判断する。そして、自動変換・配信先指定部１０Ｆは、取得した「世界の天気」を標準電文に編集すると共にテキストフォーマットに変換して記事情報送信部１０Ｃに渡す。また、「世界の天気」を表体裁に編集すると共にHTMLフォーマットに変換して記事情報送信部１０Ｃに渡す。記事情報送信部１０Ｃは、テキストフォーマットの標準電文を新聞社Ｃの第１受信部２０Ｃ１に向けて送信し、HTMLフォーマットの表体裁を第２受信部２０Ｃ２に向けて送信する。新聞社Ｃの情報受信装置２０Ｃでは、それぞれの受信部２０Ｃ１，２０Ｃ２で受信した記事情報を新聞、Ｗｅｂのメディアに向けて出力する。
【００５４】
次に、放送局αに「世界の天気」を配信する場合、大量の記事情報を記憶する記憶ファイル部１０Ａから一の記事を読み出す。読み出された記事は記事情報を解析され、記事種別が「世界の天気」であると判断される。自動変換・配信先指定部１０Ｆは、放送局αへ「世界の天気」の表体裁をBMLフォーマットで配信すると判断する。そして、自動変換・配信先指定部１０Ｆは、取得した「世界の天気」を表体裁に編集すると共にBMLフォーマットに変換して記事情報送信部１０Ｃに渡す。記事情報送信部１０Ｃは、BMLフォーマットの表体裁を放送局αの情報受信装置２０αに向けて送信する。放送局αの情報受信装置２０αでは、第１受信部２０α１で受信した記事情報を放送データとして出力する。
【００５５】
次に、企業Nに「世界の天気」を配信する場合、大量の記事情報を記憶する記憶ファイル部１０Ａから一の記事を読み出す。読み出された記事は記事情報を解析され、記事種別が「世界の天気」であると判断される。自動変換・配信先指定部１０Ｆは、企業Ｎへ「世界の天気」の一行電文をテキストフォーマットで配信すると判断する。そして、自動変換・配信先指定部１０Ｆは、取得した「世界の天気」を一行電文に編集すると共にテキストフォーマットに変換して記事情報送信部１０Ｃに渡す。記事情報送信部１０Ｃは、テキストフォーマットの一行電文を企業Ｎの情報受信装置２０Ｎに向けて送信する。会社Ｎの情報受信装置２０Ｎでは、第１受信部２０Ｎ１で受信した記事情報をデジタルサイネージの掲載データとして出力する。
【００５６】
自動変換・配信先指定部１０Ｆは、同様にして第２テーブルの「プロ野球成績」、「プロゴルフスコア」、‥の各記事情報を各配信先に向けて配信する。
【００５７】
次に、図８を用いて配信制御第１テーブル１０Ｅ１に設定される配信制御情報の変更処理について説明する。
【００５８】
図８は、上記実施形態に係る配信制御第１テーブル１０Ｅ１の配信制御情報の変更設定画面を示す図である。ここでは、各配信先の配信制御情報が示されており、記事種別１１、変換体裁１２、文書フォーマット１３、配信スケジュール１６といった項目毎に変更用のプルダウンボタンが表示されるようになっている。記事種別１１、変換体裁１２、文書フォーマット１３、配信スケジュール１６の設定内容は配信制御第２テーブル１０E２と同一内容である。
【００５９】
例えば、新聞社Ａの情報受信装置２０Ａに設けられている設定入力部２０Ａ７は、情報配信装置１０の受信部１０Ｄと例えばWebによって接続されている。そして、設定入力部２０Ａ７は、配信制御第１テーブル１０Ｅ１を読み出す。設定入力部２０Ａ７に読み出された新聞社Ａの配信制御情報には、記事種別１１に対応する変換体裁１２、文書フォーマット１３、配信スケジュール１６の日付毎に、変更用のプルダウンボタンが表示される。設定入力部２０Ａ７の操作者は、変更したい記事種別の変更したい項目のプルダウンボタンを操作して、配信制御情報の変更を設定する。新聞社Ａによって設定された配信制御情報は、受信部１０Ｄによって情報配信装置１０に受信され、配信制御第１テーブル１０Ｅ１に反映される。
【００６０】
例えば、設定入力部２０Ａ７の操作者は、「世界の天気」の文書フォーマットを標準文書フォーマットからテキストフォーマットに修正したい場合、該当部のプルダウンボタンを操作して、「テキスト」フォーマットを選択する。その後、変更登録操作を行うことにより、配信制御第１テーブル１０Ｅ１が変更される。
【００６１】
以上のように本実施形態によれば、配信先毎に、配信する記事種別に応じた体裁及び文書フォーマットに関する制御テーブルを設けて、各配信先に開放するため、配信先からの変更要求を素早く処理することができ、配信元及び配信先の負担を軽減し、記事情報の配信を効率よく行うことができる。
【００６２】
また、配信制御第１テーブル１０Ｅ１の内容に基づいて、配信情報の課金を簡単に算出することができる。即ち、配信制御第１テーブル１０Ｅ１の体裁１２と文書フォーマットからファイルの大きさを求めることが出来、配信スケジュール種別１４から配信回数を得ることができる。それらの情報と予め設定した単価とを演算することにより配信情報の課金額が算出される。
【００６３】
さらに、上述の課金方式の他に、制御部１０Ｂで配信する記事情報のパケット量を測定し、そのパケット量と予め設定した単価とを演算することにより課金額を算出することもできる。
【００６４】
なお、本発明は上記した実施形態に限定されず、発明の要旨を逸脱しない範囲において、設計変更して構わない。
【符号の説明】
【００６５】
１０・・・情報配信装置
１０Ａ・・・記憶ファイル部
１０Ｂ・・・制御部
１０Ｃ・・・記事情報送信部
１０Ｄ・・・受信部
１０Ｅ１、１０Ｅ２・・・配信制御テーブル
１０Ｆ・・・自動変換・配信先指定部
２０、２０Ａ、２０Ｂ、２０Ｃ、２０α、２０Ｎ・・・情報受信装置
２０Ａ１、２０Ｂ１、２０Ｂ２、２０Ｂ３、２０Ｃ１、２０Ｃ２、２０α１、２０Ｎ１・・・受信部
２０Ａ２、２０Ａ３、２０Ａ４・・・変換部
２０Ａ７、２０Ｂ７、２０Ｃ７、２０α７、２０Ｎ７・・・設定入力部
３０・・・ネットワーク
１００・・・情報配信システム
【図１】
2011118748.tif 000003
【図２】
2011118748.tif 000004
【図３】
2011118748.tif 000005
【図４】
2011118748.tif 000006
【図５】
2011118748.tif 000007
【図６】
2011118748.tif 000008
【図７】
2011118748.tif 000009
【図８】
2011118748.tif 000010